(57)【要約】【課題】荷重センサーとして歪ゲージを用いた簡易な構成の積雪重量計であり、小型で安価で扱い易く、荷重センサーの周囲近傍の積雪の影響を軽減して、積雪重量を精度よく計測することが可能な積雪重量計及び積雪重量計ユニットを提供する。【解決手段】積雪重量計１０は、最外周に位置する基台１１の周側に枠体１２が固設され、枠体１２に離間して囲まれるように測定板１３が配設され、枠体１２からは通信用アンテナ１４が突設されている。測定板１３の裏面側に荷重センサー１５が備えられ、測定板１３が積雪により撓むと歪センサーに撓みが伝わり、積雪重量に基づく重量値が出力される。枠体１２は、荷重センサー１５による測定板１３の周囲近傍の積雪に起因する影響を軽減する周囲機構として機能し、平たい水平面１２ａにより、積雪の沈降による重量変化を抑える。荷重センサー１５により計測された積雪荷重は通信アンテナ１４を介して外部に送信される。【選択図】図１
2020020666.tif 000002
【特許請求の範囲】
【請求項１】
積雪を受ける測定板と、
前記測定板に加わる荷重に応じた荷重信号を生成する荷重センサーと、
前記測定板の周囲に設置され、前記荷重センサーによる前記測定板の周囲近傍の積雪に起因する影響を軽減する周囲機構と、
を有することを特徴とする積雪重量計。
【請求項２】
前記周囲機構は、前記測定板の周囲を取り囲み、前記測定板と略同一平面の上面を有する枠体であることを特徴とする請求項１記載の積雪重量計。
【請求項３】
前記周囲機構は、前記測定板の周囲を取り囲み、前記測定板よりも上方に突設するフェンス体であることを特徴とする請求項１記載の積雪重量計。
【請求項４】
前記周囲機構は、
前記測定板の周囲を取り囲み、前記測定板と略同一平面に位置する平たい枠体と、
前記枠体の周囲を取り囲み、前記測定板よりも上方に突設するフェンス体と、
の組み合わせであることを特徴とする請求項１記載の積雪重量計。
【請求項５】
前記枠体と前記測定板とは、所定の空隙をもって配置されていることを特徴とする請求項２又は４記載の積雪重量計。
【請求項６】
前記荷重センサーは（に基づき荷重データを計測し、
前記荷重データを、電気通信回線を通じて送信する通信機構を有することを特徴とする請求項１から５のいずれか記載の積雪重量計。
【請求項７】
前記測定板の面積は３０ｃｍ×３０ｃｍ以上であることを特徴とする請求項１から６のいずれか記載の積雪重量計。
【請求項８】
前記枠体を含む内面積は４１ｃｍ×４１ｃｍ以上であることを特徴とする請求項２，請求項４から６のいずれか記載の積雪重量計。
【請求項９】
最外周に位置する基台と、
積雪を受ける測定板と、
前記測定板に加わる荷重に応じた荷重信号を生成する荷重センサーと、
前記測定板の周囲を取り囲み、前記測定板と略同一平面の上面を有する枠体と、
を有し、
前記枠体の上面に、通信用アンテナを取り付け可能な取付穴が設けられていることを特徴とする積雪重量計ユニット。
【請求項１０】
積雪深計取付けアタッチメントを設置可能にしたことを特徴とする請求項９記載の積雪重量計ユニット。
【発明の詳細な説明】
【技術分野】
【０００１】
本発明は、周辺環境に積雪する積雪重量を計測する積雪重量計及び積雪重量計ユニットであって、歪ゲージにより積雪重量を計測するものに関する。
【背景技術】
【０００２】
積雪重量は、山間部での雪崩発生や、屋根雪による家屋倒壊や、道路通行及び吹雪通行の情報提供等の雪氷災害の軽減に役立つものとされている。積雪重量（積雪密度）は、雪質により変化するため、積雪深からでは判断することができず、積雪重量を自動計測できる積雪重量計が求められている。
【０００３】
従来この種の積雪重量計としては、例えば図９に示すように、内部に不凍液を充填したステンレス薄板製の偏平状の密閉容器１を、地面２にコンクリート打設により形成した水平設置部３上に四個並置しており、密閉容器１の不凍液の圧力を受けて内圧を計測するゲージボックス５内に収納された半導体圧力ゲージ４を各密閉容器１に接続管６により配管接続し、密閉容器１上に積もった積雪重量による半導体圧力ゲージ４の圧力変化を検出して積雪重量を計測しようとする構造のものがある（特許文献１）。
【０００４】
このようなメタルウェファー式の積雪重量計は、米国カリフォルニア州の資源局（Resources  Agency）において1974年に開発され、1983年日本において電気的な記録ができるように改良され、北陸地方の積雪に対して実用性が確かめられている。
【０００５】
また、屋根における積雪重量の荷重分布を正確に測定する積雪測定システムがある（特許文献２）。これは、荷重センサーに加わる荷重を示す荷重データ信号を生成するもので、荷重センサーの一例としてロードセルを用いる例が開示されている。
【先行技術文献】
【特許文献】
【０００６】
【特許文献１】実開平５−２５３８５号公報（図１）
【特許文献２】特開２００８−８２９４１号公報（段落［００１５］等）
【発明の概要】
【発明が解決しようとする課題】
【０００７】
しかしながら、特許文献１に開示された構造の場合、密閉容器内に不凍液を充填する際の空気の混入は避けられず、また不凍液内にも空気は混入していることから完全な脱気状態にすることは著しく困難である。さらに、圧力ゲージは不凍液の圧力のみならず空気圧をも検出することとなるが、空気の温度膨張は水に比べて大きいことから、測定誤差の要因となりやすく、例えば一冬期間における積雪重量の計測を終了した際、密閉容器上に積雪がないにもかかわらず積雪があるようなデータとなって信頼性を低下させることがある。
【０００８】
また、ステンレス薄板と密閉容器（メタルウェファー）の組み合わせ、不凍液、圧力ゲージ、ホース等を有しており、装置は大きく、計測部と圧力ゲージの２ユニットに分かれており、重量があり、高価で扱い難いものであった。さらに、天秤式のものを流用する場合には、秤（高さ）を薄くしたり、積雪は秤の周辺に一様に降るため積雪の一部を切り出して天秤にかけたりする必要があり、そのための工夫が必要であった。
【０００９】
一方で、特許文献１及び特許文献２は、メタルウェファーや荷重センサーの周囲近傍の積雪の影響を全く考慮しておらず、積雪重量の計測誤差が発生するという問題がある。
【００１０】
本発明はこのような点に鑑みてなされたものであり、その目的は、荷重センサーとして歪ゲージを用いた簡易な構成の積雪重量計であり、小型で安価で扱い易く、荷重センサーの周囲近傍の積雪の影響を軽減して、積雪重量を精度よく計測することが可能な積雪重量計及び積雪重量計ユニットを提供することにある。
【課題を解決するための手段】
【００１１】
上記課題を解決するために、本発明は、以下のものを提供する。
【００１２】
（１）  積雪を受ける測定板と、前記測定板に加わる荷重に応じた荷重信号を生成する荷重センサーと、前記測定板の周囲に設置され、前記荷重センサーによる前記測定板の周囲近傍の積雪に起因する影響を軽減する周囲機構と、を有することを特徴とする積雪重量計。
【００１３】
本発明によれば、測定板と荷重センサーと周囲機構とを有し、周囲機構は荷重センサーによる測定板の周囲近傍の積雪に起因する影響を軽減する機能を果たすことから、精度の高い積雪重量の計測が可能となる。また、本発明の積雪重量計は、従来のメタルウェファー式の積雪重量計とは異なり、密閉容器内に液体等を有しない構造であり、それゆえに液体の温度特性による補正を必要としない。さらに、密閉容器内の空気の影響がなく、空気の温度膨張による計測誤差が生じない。
【００１４】
荷重センサーは、上下可動式の二次元的や上下左右可動の三次元的なものでよく、後者の三次元的なものでは、左右方向のブレによって測定板の周囲近傍の影響が大きく、計測誤差を生じる可能性がある。このような影響を軽減する周囲機構は、精度の高い積雪重量の計測に資することとなる。
【００１５】
（２）  前記周囲機構は、前記測定板の周囲を取り囲み、前記測定板と略同一平面の上面を有する枠体であることを特徴とする積雪重量計。
【００１６】
本発明によれば、周囲機構は、測定板の周囲を取り囲み、測定板と略同一平面の上面を有する枠体であることから、測定板とほぼ同じ高さの枠体によって、測定板近傍の左右方向のブレを軽減することができる。
【００１７】
（３）  前記周囲機構は、前記測定板の周囲を取り囲み、前記測定板よりも上方に突設するフェンス体であることを特徴とする積雪重量計。
【００１８】
本発明によれば、周囲機構は、測定板の周囲を取り囲み、前記測定板よりも上方に突設するフェンス体であることから、測定板への積雪をフェンス体によって上方から誘導して、スポット的に積雪を一様にならすことができる。
【００１９】
（４）  前記周囲機構は、前記測定板の周囲を取り囲み、前記測定板と略同一平面に位置する枠体と、前記枠体の周囲を取り囲み、前記測定板よりも上方に突設するフェンス体と、の組み合わせであることを特徴とする積雪重量計。
【００２０】
本発明によれば、測定板近傍の左右方向のブレを軽減する枠体と、測定板への積雪を誘導するフェンス体と、の組み合わせによって、より精度の高い積雪重量の計測に資することとなる。
【００２１】
（５）  前記枠体と前記測定板とは、所定の空隙をもって配置されていることを特徴とする積雪重量計。
【００２２】
本発明によれば、枠体と測定板とは、所定の空隙をもって配置されていることから、測定板の可動を所定の範囲内で自由にしている。
【００２３】
（６）  前記荷重センサーはロードセルにより生成された荷重信号に基づき荷重データを計測し、前記荷重データを、電気通信回線を通じて送信する通信機構を有することを特徴とする積雪重量計。
【００２４】
本発明によれば、荷重センサーをロードセルとして荷重データを送信することから、センサーとインターネット接続に対応したＩｏＴセンサーを構成することができる。また、ロードセルは温度特性が良いことから、主に寒い時期や寒冷地で使用する本発明の積雪重量計として適している。
【００２５】
（７）  前記測定板の面積は３０ｃｍ×３０ｃｍ以上であることを特徴とする積雪重量計。
（８）  前記枠体を含む内面積は４１ｃｍ×４１ｃｍ以上であることを特徴とする積雪重量計。
【００２６】
本発明によれば、従来は２ｍ×３ｍ程度の大型な積雪重量計に比べて、測定板の面積は少なくとも３０ｃｍ×３０ｃｍ、枠体を含む内面積は少なくとも４１ｃｍ×４１ｃｍと小型であり、設置に要する工事負担も低減することができる。また、荷重センサーとしてロードセルを使用することで、積雪重量計全体の小型化に資することができる。
【００２７】
（９）  最外周に位置する基台と、積雪を受ける測定板と、前記測定板に加わる荷重に応じた荷重信号を生成する荷重センサーと、前記測定板の周囲を取り囲み、前記測定板と略同一平面の上面を有する枠体と、を有し、前記枠体の上面に、通信用アンテナを取り付け可能な取付穴が設けられていることを特徴とする積雪重量計ユニット。
【００２８】
本発明によれば、積雪重量計ユニットは、基台と測定板と荷重センサーと枠体とが組み立てられ、通信用アンテナが別体として同封されており、通信用アンテナを取り付ける取付穴が設けられる。高さのある通信用アンテナを後付けする構成とすることで、積雪重量計ユニットの送付時のサイズを小さくすることができる。同じく、高さのあるその他の部品を後付け構成とすることも可能である。
【００２９】
（１０）  積雪深計取付けアタッチメントを設置可能にしたことを特徴とする積雪重量計ユニット。
【００３０】
本発明によれば、高さのある積雪深計を後付けする構成とすることで、積雪重量計ユニットの送付時のサイズを小さくすることができる。積雪深計を後付けするための積雪深計取付けアタッチメントを設置可能にしている。
【発明の効果】
【００３１】
本発明の積雪重量計及び積雪重量計ユニットは、積雪重量により測定板の撓みを歪ゲージである荷重センサーが検出して積雪重量を計測することができ、また、測定板の周囲近傍の積雪状態による計測誤差の影響を軽減する周囲機構により精度の高い積雪重量の計測を可能にするという効果がある。さらに、積雪重量計の構造が簡単で小型で安価な装置を実現することができ、ＩｏＴセンサーとして外部に情報を提供することができる。
【図面の簡単な説明】
【００３２】
【図１】本発明の実施の形態に係る第１の積雪重量計の概略構成図である。
【図２】本発明の実施の形態に係る第２の積雪重量計の概略構成図である。
【図３】本発明の実施の形態に係る積雪重量計の断面図である。
【図４】本発明の実施の形態に係る積雪重量計の電気的構成図である。
【図５】積雪の様子を示す図。
【図６】各積雪状態における積雪終了後の積雪重量の関係を示す図。
【図７】各積雪状態における積雪中の積雪重量の関係を示す図。
【図８】本発明の実施の形態に係る積雪重量計ユニットの概略構成図である。
【図９】従来のメタルウェファー式の積雪重量計の構成図である。
【発明を実施するための最良の形態】
【００３３】
以下、本発明の実施の形態について図面に基づいて説明する。
【００３４】
図１は、本発明の実施の形態に係る第１の積雪重量計１０の概略構成図である。積雪重量計１０は、最外周に位置する基台１１の周側に枠体１２が固設され、枠体１２に離間して囲まれるように測定板１３が配設され、枠体１２からは通信用アンテナ１４が突設されている。基台１１は、地面や屋根や屋上などに対して地平と水平に設置され、必要に応じて傾斜のある設置場所に対して水平方向に設置するための可変アングルが取り付けられる。このような基台１１により設置負担が軽減できる。
【００３５】
図２は、本発明の実施の形態に係る第２の積雪重量計２０の概略構成図である。積雪重量計１０と同一の構成には同じ符号を用いており、積雪重量計１０と異なる点は、枠体１２の垂直面１２ｂに沿うフェンス体１２’を立設していることである。なお、図示しないが、フェンス体１２’は、測定板１３を離間して取り囲むように設置していればよく、例えば、枠体１２を設けずに基台１３の外縁を取り囲むように立設してもよい。
【００３６】
枠体１２は、測定板１３の周囲に一定幅のギャップＧ（例えば５ｍｍ幅）をもって設置され、枠体１２の干渉を受けずに測定板１３が三次元的に自由自在に動けるようになっている。図１及び図２に示す枠体１２は、水平面１２ａ及び垂直面１２ｂを有する断面Ｌ状を呈している。なお、水平面１２ａは平滑状の平板となっている。
【００３７】
また、枠体１２は、測定板１３及び荷重センサー１５を保護するほか、荷重センサー１５による測定板１３の周囲近傍の積雪に起因する影響を軽減する周囲機構としても機能し、周囲機構の一例として図１に示すように、測定板１３の周囲を取り囲み、測定板１３と略同一平面の上面（水平面１２ａ）を有する平たい枠体となっている。この水平面１２ａにより、積雪の沈降による重量変化を抑えている。
【００３８】
また、枠体１２による周囲機構の例として図２に示すように、測定板１３の周囲を取り囲み、測定板１３よりも上方に突設する尖ったフェンス体１２’となっている。図２ではフェンス体１２’と枠体１２とを別体として構成しているが、フェンス体と枠体とを一体に構成して、断面Ｌ字形の枠体や断面Ｔ字形の枠体としてもよい。この場合、フェンス状のＬ形アングル又はＴ形アングルを枠体として配置しても、同様の効果を得ることができる。
【００３９】
測定板１３は、積雪を受ける矩形のステンレス薄板である。測定板１３の上面は、荷重センサー１５との接続部１５ａを有しており、測定板１２の下方には荷重センサー１５が設けられる（図３参照）。接続部１５ａは荷重センサー１５と物理的に接続されていて熱伝導性が良い場合には、融雪を防ぐための断熱部材を接続部１５ａ上面に貼付してもよい。
【００４０】
測定板１３の面積の一例としては３０ｃｍ×３０ｃｍであり、単位面積当たりの重量（ｋｇ／ｍ２）で換算する場合は、得られた重量に１１．１１倍する。また、測定板１３で計測可能な積雪深は面積によることから、３０ｃｍ×３０ｃｍ以上の測定板１３を用いて積雪重量を計測することとしてもよい。測定板１３の形状及びサイズは、従来の積雪重量計と同じ計測値を示すように規定しておく必要がある。
【００４１】
枠体１２を含む内面積の一例としては４１ｃｍ×４１ｃｍであり、具体的には、測定板１３の面積が３０ｃｍ×３０ｃｍ、中空の枠体自体の面積が４１ｃｍ×４１ｃｍ−３０ｃｍ×３０ｃｍである。なお、測定板１３で計測可能な積雪深を拡張するためにも、３０ｃｍ×３０ｃｍ以上の測定板１３を用いて積雪重量を計測する場合には、４１ｃｍ×４１ｃｍ以上の内面積となる。
【００４２】
図４は、本発明の実施の形態に係る積雪重量計１０，２０の電気的構成図であり、通信用アンテナ１４及び荷重センサー１５は前述した通りである。なお、荷重センサー１５は測定板１３の裏面側に備えられており、測定板１３が積雪により撓むと歪センサーに撓みが伝わる構造となっており、歪みが電気変換されて積雪重量に基づく重量値が出力される。
【００４３】
積雪重量計１０,２０の内部には、防水ＢＯＸ１６内に電源供給部１６ａ，電源部１６ｂ,無線部１６ｃ，基板部１６ｄ,アナログ処理部１６ｅが設けられる。なお、外部とのデータ通信を行う場合には、通信用アンテナ１４から一旦図示しない中継器を介在させて、中継器から外部にデータを送信することができる。中継器を用いることで、防水ＢＯＸ１６内の電源供給部１６ａの容量を抑え、中継器内に大型の大容量バッテリーを搭載することができ、電力消費量の大きいｗｉ−ｆｉ通信によって遠距離との通信が可能となる。
【００４４】
電源供給部１６ａは、積雪重量計１，２に電源を供給する供給源であり、乾電池，蓄電池，ＡＣ／ＤＣ電源などを用いることができる。この電源供給部１６ａから供給された電力は電源部１６ｂにて電力変換され、適切な電力値を各部に供給する。
【００４５】
無線部１６ｃは、無線モジュールを用いて基板部１６ｄのマイコンからの通信データを送信制御して、通信用アンテナ１４から送信する。無線モジュールは、ＩＥＥＥに準拠したＺｉｇＢｅｅ通信を行って中継器にデータを送るか、電力供給源１６ａからの電力が十分な場合には、ｗｉ−ｆｉ通信を行って外部に直接データを送る。
【００４６】
基板部１６ｄは、積雪重量計１０，２０の総合的な制御指令を司るマイコンを有しており、アナログ処理部１６ｅと接続又は機能的一体とされている。荷重センサー１５からの重量データは、アナログ処理部１６ｅで必要に応じて信号増幅されてアナログ／デジタル変換された後、マイコンにて処理される。マイコンでは、電圧から重量への変換処理（スケーリング処理）を行い、重量データとして出力する。
【００４７】
図５は、積雪重量計の断面と積雪の様子を示す図である。図５（Ａ）は、測定板１３の周囲を何も取り囲んでおらず、測定板１３の周囲に緩やかに積雪している状態である。図５（Ｂ）は、測定板１３の周囲を略同一平面を有する枠体１２が取り囲んでおり、枠体１２の周囲に緩やかに積雪している状態である。図５（Ｃ）は、測定板１３の周囲を枠体１２及びフェンス体１２’が取り囲んでおり、フェンス体によって一様に積雪している状態である。
【００４８】
図６は、各積雪状態（図５（Ａ），（Ｂ），（Ｃ））における積雪終了後の積雪重量の関係を示す図、図７は、各積雪状態（図５（Ａ），（Ｂ），（Ｃ））における積雪中の積雪重量の関係を示す図である。なお、図７では、電子天秤を用いて積雪重量を計測した基準線も示している。
【００４９】
図６は、実際に積雪して計測した積雪重量と測定板１３の大きさに積雪を切り出して計測した積雪重量とを比較している、図６において、（Ａ）の状態で切り出すと積雪重量が減少する結果を示していることから、沈降力による影響を受けて積雪重量が過大計測されていることが分かる。一方、（Ｂ）及び（Ｃ）の状態で切り出しても積雪重量の変化はあまり見られないことから、枠体やフェンス体によって沈降力による影響が軽減されていることが分かる。
【００５０】
図６及び図７によれば、（Ａ）の状態よりも、（Ｂ）及び／又は（Ｃ）の状態が基準曲線に近く、良好な相関が得られていることが分かる。すなわち、（Ａ）の状態では測定板１３に対して、図５矢印に示すようなその外側に働く力（沈降力）が作用することから、実際の重量に比して計測誤差を生じることがある。これに比べて（Ｂ）や（Ｃ）では、沈降力による影響を軽減することができる。
【００５１】
図８は、本発明の実施の形態に係る積雪重量計ユニット１００の概略構成図である。積雪重量計ユニット１００は、基台１１と、測定板１３と、荷重センサー１５と、枠体１２と、枠体１２の上面側の水平面１２ａに設けられた取付穴１２ｃと、を有しており、取付穴１２ｃには通信用アンテナ１４が取り付けられる。なお、積雪重量計ユニット１００において、通信用アンテナ１４は通信可能なように基板部１６ｄと接続線で接続されている。通信用アンテナ１４を取付穴１２ｃに取り付けてネジ等で固定する。
【００５２】
積雪重量計ユニット１００は、測定板１３に積雪する積雪深を計測するための積雪深計を取付部１９に取付可能であり、積雪深計取付けアタッチメントが設置されている。取付部１９は、枠体１２の外周壁に設置されており、プレート固定用スタット１９ａが取付けられている。積雪深計を取付けることで、積雪重量計及び積雪深計として使用することができる。
【産業上の利用可能性】
【００５３】
本発明に係る積雪重量計及び積雪重量計ユニットは、周辺環境に積雪する積雪重量を計測する際の沈降力の影響を軽減し、積雪重量を精度よく計測することができるものとして有用である。
【符号の説明】
【００５４】
１０，２０  積雪重量計
１１  基台
１２  枠体（１２ａ：水平面、１２ｂ：垂直面、１２ｃ：取付穴）
１２’  フェンス体
１３  測定板
１４  通信用アンテナ
１５  荷重センサー（１５ａ：接続部）
１６  防水ＢＯＸ（１６ａ：電源供給部、１６ｂ：電源部、１６ｃ：無線部、１６ｄ：基板部、１６ｅ：アナログ処理部）
Ｇ  ギャップ
【図１】
2020020666.tif 000003
【図２】
2020020666.tif 000004
【図３】
2020020666.tif 000005
【図４】
2020020666.tif 000006
【図５】
2020020666.tif 000007
【図６】
2020020666.tif 000008
【図７】
2020020666.tif 000009
【図８】
2020020666.tif 000010
【図９】
2020020666.tif 000011